(57)【要約】【課題】紙箱を折り曲げした状態で偏平な折り姿となるようにし、紙箱を廃棄するときにコンパクトな形状で、廃棄物とする紙箱が嵩張らないようにする。【解決手段】二つの潰し部１０、１１の間で折曲予定部１２から折り曲げしたときに、一方の潰し部１０が他方の潰し部１１に差し入れた状態にして係止する構成とした紙箱１であり、前記折曲予定部１２を、広面板中央から一方の潰し部１０側に寄った広面板中央近傍位置を通る直線１４と、広面板中央から一方の潰し部１０側に向けて他方の潰し部１１の側面板高さ寸法の１／２未満の距離で偏倚した位置を通る直線１５との間の領域に設けた。【選択図】      図１
2005022734.tif 000002
【特許請求の範囲】
【請求項１】
方形の広面板の四辺に側面板が連接された箱体であり、対向する一組の側面板を広面板側へ折り倒しできる二つの潰し部が対向配置されていて、潰し部それぞれの側面板を広面板側に折り倒すとともに、この二つの潰し部の間で広面板と他の一組の側面板とを潰し部対向方向に交差する方向の折曲予定部から折り曲げしたときに、一方の潰し部が他方の潰し部に差し入れた状態にして係止する構成とした紙箱において、
前記折曲予定部は広面板中央から上記一方の潰し部側に偏倚した位置にあり、折曲予定部から側面板を折り倒したときの一方の潰し部の先端まで寸法が、折曲予定部から側面板を折り倒したときの上記他方の潰し部の先端までの寸法より小さくなる構成としたことを特徴とする紙箱。
【請求項２】
上記折曲予定部は、
潰し部の長手方向に平行にして、広面板中央から一方の潰し部側に寄った広面板中央近傍位置を通る直線と、
潰し部の長手方向に平行にして、広面板中央から一方の潰し部側に向けて他方の潰し部の側面板高さ寸法の１／２未満の距離で偏倚した位置を通る直線と
の間の領域に設けられている請求項１に記載の紙箱。
【請求項３】
上記領域中に、複数の折曲予定部が設けられている請求項２に記載の紙箱。
【請求項４】
上記領域中に設けられた折曲予定部と、前記領域以外の一方の潰し部側であって前記領域の近傍に設けられている折曲予定部とを備える請求項２または３に記載の紙箱。
【請求項５】
上記折曲予定部は、箱体の包装材料に入れられた折り罫である請求項１から４の何れか一項に記載の紙箱。
【請求項６】
上記折曲予定部は、広面板と他の一組の側面板との間の折り部に対して非交差状態にして設けられている請求項１から５の何れか一項に記載の紙箱。
【発明の詳細な説明】
【技術分野】
【０００１】
本発明は廃棄時に小さい形態にすることのできる紙箱に関するものである。
【背景技術】
【０００２】
従来から紙箱は各種物品を収容する包装体として用いられており、箱体の一つの形態として、方形の広面板の四辺に連接された側面板を折り起こし、隣り合う側面板同士を連結した形状のものがあり、蓋やケース本体などとして多く流通している。
ところで、上記紙箱にあっては広面板の四方に側面板が折り起こされた形状であって、この形状のまま廃棄した場合には嵩張り易いものである。そのため、紙箱における対向した一組の側面板それぞれを広面板側に折り倒して全体を略偏平なものとしてから、さらに紙箱全体を広面板の中央位置を通る部分から二つ折りし、一方の側面板が押し倒されている部分を、他方の側面板が押し倒された部分の内側に差し入れるようにして、紙箱の形状を小さくする工夫が提案されている（例えば、特許文献１参照）。
【特許文献１】特開２００２−２８４１４６（段落番号０００８〜００１３、図３、図４、図５）
【発明の開示】
【発明が解決しようとする課題】
【０００３】
しかしながら、上述した特許文献１に示された技術では、広面板の中央の折り位置から側面板折り倒しによりなる潰し部の突端までの長さが同じとなり、一方の潰し部を他方の潰し部の内側に差し入れるようにするために、一方の潰し部の折り倒した側面板の端縁に対応する位置を通る部分で、広面板とこの広面板に連接している他の一組の側面板とを山形状に折り曲げ、その折り曲げた状態で差し入れている。そして、紙箱の折り姿は、一方の潰し部側が高く盛り上がった状態となってしまい、また、中央の折り位置で生じている包装材料の復元力が二つ折りした紙箱を開くように作用しており、これによっても一方の潰し部側の折り曲げ個所を高く盛り上げる結果となり、紙箱が偏平な折り姿にはなり難いという不都合がある。
そこで本発明は上記事情に鑑み、対向する側面板それぞれを折り倒して一方の潰し部を他方の潰し部の内側に差し入れるように折り曲げできるようにした紙箱において、折り曲げした状態で偏平な折り姿となるようにすることを課題とし、紙箱を廃棄するときにコンパクトな形状にし、廃棄物とする紙箱が嵩張らないようにすることを目的とする。
【課題を解決するための手段】
【０００４】
本発明は上記課題を考慮してなされたもので、方形の広面板の四辺に側面板が連接された箱体であり、対向する一組の側面板を広面板側へ折り倒しできる二つの潰し部が対向配置されていて、潰し部それぞれの側面板を広面板側に折り倒すとともに、この二つの潰し部の間で広面板と他の一組の側面板とを潰し部対向方向に交差する方向の折曲予定部から折り曲げしたときに、一方の潰し部が他方の潰し部に差し入れた状態にして係止する構成とした紙箱において、前記折曲予定部は広面板中央から上記一方の潰し部側に偏倚した位置にあり、折曲予定部から側面板を折り倒したときの一方の潰し部の先端まで寸法が、折曲予定部から側面板を折り倒したときの上記他方の潰し部の先端までの寸法より小さくなる構成としたことを特徴とする紙箱を提供して、上記課題を解消するものである。
【０００５】
そして、本発明において、上記折曲予定部は、潰し部の長手方向に平行にして、広面板中央から一方の潰し部側に寄った広面板中央近傍位置を通る直線と、潰し部の長手方向に平行にして、広面板中央から一方の潰し部側に向けて他方の潰し部の側面板高さ寸法の１／２未満の距離で偏倚した位置を通る直線との間の領域に設けられているものとすることが可能である。
【０００６】
また、本発明においては、上記領域中に、複数の折曲予定部が設けられているものとすることが可能であり、上記領域中に設けられた折曲予定部と、前記領域以外の一方の潰し部側であって前記領域の近傍に設けられている折曲予定部とを備えるものとすることが可能である。
さらに、本発明において、上記折曲予定部は、箱体の包装材料に入れられた折り罫であることが良好である。また、上記折曲予定部は、広面板と他の一組の側面板との間の折り部に対して非交差状態にして設けられているものとすることが可能である。
【発明の効果】
【０００７】
以上説明した本発明により、各潰し部の側面板を折り倒して略偏平にしたのちに折曲予定部から折り曲げるようにすることで、一方の潰し部の先端が他方の潰し部における側面板に重なる位置関係にすることが可能となり、一方の潰し部を他方の潰し部の内側に差し入れることで簡単に係止させることができるとともに、一方の潰し部と他方の潰し部とから離れた位置の折曲予定部から折り曲げるようにするため、紙箱の折り姿が略偏平となり、嵩張ることのないコンパクトな形状にすることができるなど、実用性に優れた効果を奏するものである。
【発明を実施するための最良の形態】
【０００８】
つぎに本発明を図１から図９に示す実施の形態に基づいて詳細に説明する。
図中１は紙箱で、各種物品を収める包装体における蓋や包装体本体として形成されているものであり、図１に示すように長方形の広面板２の四辺に折り部３を介して連接された側面板４、５、６、７が折り起こされていて、これら四枚の側面板４、５、６、７により四方の側壁部分が形成され、広面板２に相対する面が開放された形状としている。そして、この紙箱１では、図２のブランクの状態で示されているように広面板２の短辺側にあって対向する位置にある一組の側面板４、５に、広面板２の長辺側にある他の一組の側面板６、７それぞれの端部に連接されたフラップ８を貼着することで、隣り合う側面板が連結されている。
紙箱１の包装材料として波板状部材を表皮部材で挟んだ薄手の段ボール紙が用いられているものとして以下に説明するが、本発明の紙箱の包装材料は薄手の段ボール紙に限定されるものではなく、例えば厚紙であってもよいものである。
【０００９】
以上の点は公知の紙箱と同様の構成であるが、本発明の紙箱１は廃棄するために折り曲げた形態が嵩張らないようにした工夫を備えているものである。
まず、図２に示されているように長辺側の側面板６、７の端部側には、広面板２の隅部から側面板６、７の端縁に向けて４５°に傾斜した直線上にあって、前記広面板２の隅部と側面板６、７の端縁とには達しない折り罫９が入れられている。そして、この折り罫９の位置で側面板６、７の端部を折りながら、対向する一組の上記側面板４、５を広面板２側へ折り倒しできる二つの潰し部１０、１１が設けられている。図３は対向配置されたこの二つの潰し部１０、１１が側面板４、５の広面板２側への折り倒しによって潰れた状態を示しており、他の一組の側面板６、７の端部以外の部分は外方に開き、折り罫９から側面板４、５側となる部分が側面板６、７自体に重なり、紙箱１が全体として略偏平になるように設けられている。
【００１０】
さらに、紙箱１にあっては、二つの潰し部１０、１１の側面板４、５を折り倒し、上述したように略偏平な状態にしてから全体を折り曲げできるように、折曲予定部１２を有している。前記折曲予定部１２は広面板２と側面板６、７とに入れられた折り罫１３からなるものである。そして、この折曲予定部１２の位置は潰し部１０、１１の長手方向に平行となる第一の直線１４と第二の直線１５との間の領域１６に設けられている。なお、第一の直線１４と第二の直線１５とは、前記折曲予定部１２が位置する領域の範囲を示すもので、紙箱１に対して目視できる状態に表示されているものでない。
図２のブランクの状態で示すように、まず、第一の直線１４は、潰し部１０、１１の長手方向に平行であり、広面板中央ａから一方の潰し部１０側に寄った広面板中央近傍位置ｂを通る直線である。第二の直線１５は、潰し部１０、１１の長手方向に平行であり、広面板中央ａから前記第一の直線１４よりさらに一方の潰し部１０側に向けて偏倚した位置にあって、広面板中央ａから潰し部１１の側面板５の高さ寸法Ｈの１／２未満の距離Ｄで偏倚した位置ｃを通る直線である。
【００１１】
第一の直線１４と第二の直線１５との間の領域１６に上記折曲予定部１２が設けられていて、折曲予定部１２の折り罫１３が領域１６中を通る一直線上に位置している。図示されているように、前記折曲予定部１２は、広面板２と他の一組の側面板６、７との間の折り部３に対して非交差状態にして設けられているとともに、広面板２にあっては側面板６、７側のみに設けられていて、紙箱１の通常の使用状態時に、この折曲予定部１２が通る直線上の位置での剛性が低下しないようにし、また、広面板２の外面側で折曲予定部１２が目立たないようにしている。
このように一直線上にあって不連続な折曲予定部１２を備えている紙箱１をコンパクトな形状にするには、上述したように対の潰し部１０、１１の側面板４、５の折り倒しによって略偏平とし（図３）、この略偏平にした紙箱１を折曲予定部１２から潰し部対向方向に折り曲げるようにする（図４）。そして、他方の潰し部１１の側面板５を持ち上げるようにして若干開き、一方の潰し部１０を他方の潰し部１１に差し入れてから持ち上げていた側面板５を離せばよく、その側面板５が倒れ込んで一方の潰し部１０を他方の潰し部１１に係止させる（図５、図６）。
【００１２】
他方の潰し部１１における側面板５自体には、側面板６、７それぞれが外方に開いていることから広面板２側に倒れる力が加わっており、よって、側面板５の倒し込みの力が働いている他方の潰し部１１に一方の潰し部１０が係止する状態が適正に保たれ、紙箱１の折り状態が安定したものとなる。
このように上記折曲予定部１２から略偏平とした紙箱１を折り曲げているため、折り姿は略偏平なものとなり、コンパクトな形状が得られて廃棄しても嵩張ることがない。
また、折曲予定部１２が設けられる領域１６を、広面板中央ａから一方の潰し部１０側に寄った広面板中央近傍位置ｂを通る第一の直線１４と、広面板中央ａから一方の潰し部１０側に向けて他方の潰し部１１の側面板高さ寸法Ｈの１／２未満の距離Ｄで偏倚した位置ｃを通る第二の直線１５との間としているため、折曲予定部１２から折り曲げたときに、折り曲げ位置（折曲予定部１２）から一方の潰し部１０の先端までの寸法が、折り曲げ位置から他方の潰し部１１の先端迄の寸法より短く、かつ折り曲げ位置から他方の潰し部１１の側面板５の端縁までの寸法より長くなるため、一方の潰し部１０と他方の潰し部１１との係止関係を簡単に形成できるようになる。
【００１３】
他方の潰し部１１に差し入れた一方の潰し部１０には、折曲予定部１２で包装材料を折り曲げたことにより生じた復元力によって起こされる方向に力が加わることになるが、この一方の潰し部１０を起こす復元力が大きくならないようにするために、包装材料の波板状部材の波目と揃うように折曲予定部１２を位置させることが望ましい。また、図７、図８に示すように領域１６中に平行にして折曲予定部１２を複数設定し、領域１６に二本以上の折り目が形成できるように折り曲げして、復元力が大きくならないようにすることも可能である。
【００１４】
さらに、図９に示すように領域１６に上記折曲予定部１２を設けるとともに、前記領域１６以外であって、一方の潰し部１０側であって且つ領域１６の近傍に折曲予定部１７を設けることも可能である。この場合の前記折曲予定部１７も折曲予定部１２と同様に、広面板２と側面板６、７とに入れた折り罫が潰し部対向方向に交差する方向にあり、これらの折り罫が折り部３と非交差状態となることが望ましい。
【００１５】
上記各実施の形態において、折曲予定部を折り罫として示したが、本発明は上記実施の形態に限定されるものではなく、例えばこの折曲予定部を印刷よりなる折り位置表示線としてもよい。
【産業上の利用可能性】
【００１６】
【図面の簡単な説明】
【００１７】
【図１】本発明に係る紙箱の一例を示す説明図である。
【図２】一例をブランクの状態で示す説明図である。
【図３】潰し部の側面板を折り倒した状態を示す説明図である。
【図４】折曲予定部から折り曲げた状態を示す説明図である。
【図５】一方の潰し部を他方の潰し部に係止させた状態を示す説明図である。
【図６】同じく一方の潰し部を他方の潰し部に係止させた状態を断面で示す説明図である。
【図７】領域に複数の折曲予定部を設けた例をブランクの状態で示す説明図である。
【図８】領域に複数の折曲予定部を設けた紙箱を折り曲げた状態を断面で示す説明図である。
【図９】領域の内側と近傍とに折曲予定部を設けた例をブランクで示す説明図である。
【符号の説明】
【００１８】
１…紙箱
２…広面板
４、５、６、７…側面板
１０…一方の潰し部
１１…他方の潰し部
１２…折曲予定部
１３…折り罫
１４…第一の直線
１５…第二の直線
１６…領域
１７…折曲予定部
【図１】
2005022734.tif 000003
【図２】
2005022734.tif 000004
【図３】
2005022734.tif 000005
【図４】
2005022734.tif 000006
【図５】
2005022734.tif 000007
【図６】
2005022734.tif 000008
【図７】
2005022734.tif 000009
【図８】
2005022734.tif 000010
【図９】
2005022734.tif 000011